(57)【要約】【課題】断線などによる異常を広範囲にて検出することができる開閉器操作装置を提供する。【解決手段】直流電源の負極側に接続された電子スイッチ素子７と、この電子スイッチ素子７によって同時に通電制御される複数の操作コイル４とを備えた３相用開閉器の開閉操作を行う開閉器操作装置において、  各操作コイル４と電子スイッチ素子７との間にそれぞれ接続された各ダイオード６ａ、６ｂ、６ｃと、各ダイオード６ａ、６ｂ、６ｃと電子スイッチ素子７とに加わる各電位差を検出する電圧検出器９とを備えたものである。【選択図】図１
2010244739.tif 000002
【特許請求の範囲】
【請求項１】
直流電源の負極側に接続されたスイッチ手段と、このスイッチ手段によって同時に通電制御される複数の操作コイルとを備えた３相用開閉器の開閉操作を行う開閉器操作装置において、
前記各操作コイルと前記スイッチ手段との間にそれぞれ接続された整流素子と、
前記各整流素子と前記スイッチ手段とに加わる各電位差を検出する検出手段とを備えたことを特徴とする開閉器操作装置。
【請求項２】
前記検出手段で検出された各電位差のいずれかが所定値と異なると、異常検出信号を出力することを特徴とする請求項１に記載の開閉器操作装置。
【請求項３】
請求項１または請求項２の開閉器操作装置を備えたことを特徴とする３相用開閉器。
【発明の詳細な説明】
【技術分野】
【０００１】
この発明は、開閉器の開閉を操作するコイルを有する開閉器操作装置および３相用開閉器に係り、特に回路の断線検出に関するものである。
【背景技術】
【０００２】
従来のコイルにより開閉器の開閉を操作する開閉器操作装置は、主回路開閉素子（真空スイッチ管など）を駆動して開閉動作させるためのコイルと、コイルに電力を供給するための電源、およびコイルへの電力供給を制御するためのスイッチによって構成されている。スイッチを、入状態にすることによりコイルに通電し、開閉器を駆動して開動作または閉動作させるものである（例えば、特許文献１参照）。
【先行技術文献】
【特許文献】
【０００３】
【特許文献１】特開２００３−１６８８７号公報
【発明の概要】
【発明が解決しようとする課題】
【０００４】
従来の開閉器操作装置において、コイルによって直接駆動される開閉器の操作は、電源−スイッチ−コイルの駆動回路に断線が発生した場合、断線が発生したことを検出する手段が存在しない。そのため、断線が発生した場合、開操作または閉操作を行って不動作が発生して、初めてその駆動回路に断線が発生したことに気が付くという問題点があった。
【０００５】
この発明は、上記のような課題を解決するためになされたものであり、駆動回路の断線が発生した場合、さらに、３相中の１相に断線が発生した場合に起こりうる、不完全な開動作または閉動作を防止する場合などの異常を検出することができる開閉器操作装置および３相用開閉器を提供することを目的とする。
【課題を解決するための手段】
【０００６】
この発明は、直流電源の負極側に接続されたスイッチ手段と、このスイッチ手段によって同時に通電制御される複数の操作コイルとを備えた３相用開閉器の開閉操作を行う開閉器操作装置において、
各操作コイルと前記スイッチ手段との間にそれぞれ接続された整流素子と、
各整流素子と前記スイッチ手段とに加わる各電位差を検出する検出手段とを備えたものである。
【０００７】
また、この発明は、直流電源の負極側に接続されたスイッチ手段と、このスイッチ手段によって同時に通電制御される複数の操作コイルとを備えた３相用開閉器の開閉操作を行う開閉器操作装置において、
各操作コイルと前記スイッチ手段との間にそれぞれ接続された整流素子と、
各整流素子と前記スイッチ手段とに加わる各電位差を検出する検出手段とを備えた開閉器操作装置を備えた３相用開閉器である。
【発明の効果】
【０００８】
この発明の開閉器操作装置は、直流電源の負極側に接続されたスイッチ手段と、このスイッチ手段によって同時に通電制御される複数の操作コイルとを備えた３相用開閉器の開閉操作を行う開閉器操作装置において、
各操作コイルと前記スイッチ手段との間にそれぞれ接続された整流素子と、
各整流素子と前記スイッチ手段とに加わる各電位差を検出する検出手段とを備えたので、断線などによる異常を広範囲にて検出することができる。
【０００９】
この発明の３相用開閉器は、直流電源の負極側に接続されたスイッチ手段と、このスイッチ手段によって同時に通電制御される複数の操作コイルとを備えた３相用開閉器の開閉操作を行う開閉器操作装置において、
各操作コイルと前記スイッチ手段との間にそれぞれ接続された整流素子と、
各整流素子と前記スイッチ手段とに加わる各電位差を検出する検出手段とを備えた開閉器操作装置を備えたので、断線などによる異常を広範囲にて検出することができる。
【図面の簡単な説明】
【００１０】
【図１】この発明の実施の形態１の開閉器操作装置の構成を示す図である。
【発明を実施するための形態】
【００１１】
実施の形態１．
以下、本願発明の実施の形態について説明する。図１はこの発明の実施の形態１における開閉器操作装置の構成を示す図である。本実施の形態１の開閉器操作装置は、電源−操作コイル−駆動スイッチにて構成される駆動回路を備え、３相用開閉器の開閉操作を行うためのものである。図において、開閉操作装置は、電源入力端子１ａに接続されている充電回路部１と、充電回路部１に接続された直流電源としての電力貯蔵用のコンデンサ２と、コンデンサ２の負極側に接続されたスイッチ手段としての電子スイッチ素子７と、この電子スイッチ素子７によって同時に通電制御される３相各相の操作コイル４ａ、４ｂ、４ｃと、各操作コイル４ａ、４ｂ、４ｃと電子スイッチ素子７との間にそれぞれ接続された整流素子としての３相分離用のダイオード６ａ、６ｂ、６ｃと、コンデンサ２の正極側と各操作コイル４ａ、４ｂ、４ｃとを接続するための第１のコネクタ３と、各操作コイル４ａ、４ｂ、４ｃと各ダイオード６ａ、６ｂ、６ｃとを接続するための第２のコネクタ５とを備える。充電回路部１は、外部からのノイズや過電圧などを阻止して誤動作や破損を防止するノイズフィルタ１ｂと、入力電圧をコンデンサ２に充電するための電圧に変換するＤＣ−ＤＣコンバータ１ｃと、コンデンサ２に充電された電荷量を電圧として監視し、ＤＣ−ＤＣコンバータ１ｃの出力を調整するようにフィードバックする電圧監視回路１ｄとを備えたものである。
【００１２】
また、図１の開閉器操作装置は、電子スイッチ素子７を制御するための開閉制御器８と、開閉制御器８に指令信号を入力する入力端子８ａと、各ダイオード６ａ、６ｂ、６ｃと電子スイッチ素子７とに加わる各電位差を検出し、当該検出された電圧が所定値と異なることを検出すると異常が発生したとして異常検出信号を出力する検出手段としての電圧検出器９とを備えている。尚、ここで言う”所定値”とは本開閉器操作装置において、通常検出されるべき電圧の値または値の範囲を示す。また、電圧検出器９の駆動電源は、コンデンサ２から供給するように構成しても良い。
【００１３】
上記のように構成された実施の形態１の開閉器操作装置の異常検出について説明する。まず、電圧検出器９では、各ダイオード６ａ、６ｂ、６ｃと電子スイッチ素子７とに加わる各電位差を検出し各相回路の電圧を監視する。そして、断線箇所１０にて断線が発生すると、その断線箇所１０より後の操作コイル４ｂ、ダイオード６ｂにおいて電圧が喪失される。尚、説明上図１においては、断線箇所１０を示し、それより後の部分において電圧が喪失されていることを破線で示している。そして、電圧検出器９はこの電圧喪失を検出し、所定値ではないことを検出して異常が発生したとして異常検出信号を、例えば警報などにて発信する。またさらに、異常検出信号として、不完全な開動作または閉動作を防止するための鎖錠のための信号を外部（図示していない）又は開閉制御器８もしくはその両方に発信するものである。このようにして電圧喪失が電圧検出器９において検出可能となるのは、断線の発生していない操作コイル４ａ、４ｃの各相回路の電位と、断線の発生した操作コイル４ｂの相回路の電位とが同電位になることをダイオード６ｂを設けることで防止しているためであり、これにより断線箇所１０での断線を検出可能としているものである。
【００１４】
また、検出可能な異常として、「操作コイルおよびその回路上の断線」の場合、または、「コイル回路上のコネクタ抜け（接続不良）」の場合、「電源の電圧喪失」の場合などを検出することができるものである。尚、コネクタの抜けは、発生する可能性が高く、その異常が検出できるものである。
【００１５】
上記に示した実施の形態１の開閉器操作装置によれば、電圧検出器は、各操作コイルと電子スイッチ素子に加わる各電位差を検出し各相回路の電圧を監視することにより、断線などによる電圧の喪失を検出している。そしてこのような電圧喪失を検出することにより、警報を発信するとともに不完全な開動作または閉動作を防止するための鎖錠のための信号を外部（図示していない）又は開閉制御器もしくはその両方に発信することができる。よって、断線などによる異常を広範囲に検出することができる。
【００１６】
また、電圧検出器は、その駆動電源をコンデンサから供給することも可能であり、その場合は、新たに駆動電源を備える必要がない。
【００１７】
尚、この発明はＶＣＢやＧＣＢなどの遮断器用のみならず、開閉器と同様に操作コイルによって直接駆動される開閉器の操作を行うための開閉器操作装置であれば同様に用いることができ、同様な効果を奏することができる。
【符号の説明】
【００１８】
２  コンデンサ、４ａ，４ｂ，４ｃ  操作コイル、６ａ，６ｂ，６ｃ  ダイオード、
７  電子スイッチ素子、９  電圧検出器。
【図１】
2010244739.tif 000003